(57)【要約】【課題】第１の火災信号、第２の火災信号を受けるシステムの施工時における警報一時停止機能を有効に発揮させつつ、防災上も好ましい住棟受信機を提供する。【解決手段】集合住宅の各住戸に設置された住戸受信機２から第１、第２の火災信号を受信して、警報制御を行う集合住宅火災警報システムに使用される住棟受信機１であって、住棟受信機１は、住戸受信機２への警報信号の出力を停止する一時停止機能を備えており、一時停止機能が有効に設定されているときに、第１の火災信号を受けると、その受信回数を計数しながら、第２の火災信号を受けたときには、第１の火災信号のそれまでの受信回数が所定数あったとき、あるいは、その後に、所定のキャンセル時間内に別の住戸から第１の火災信号を受信したときには、一時停止機能を自動的に解除する。【選択図】図１
2007286755.tif 000002
【特許請求の範囲】
【請求項１】
集合住宅の各住戸に設置された住戸受信機から第１、第２の火災信号を受信して、警報制御を行う集合住宅火災警報システムに使用される住棟受信機であって、
上記住棟受信機は、住戸受信機への警報信号の出力を停止する一時停止機能を備えており、一時停止機能が有効に設定されているときに、第１の火災信号を受けると、その受信回数を計数しながら、第２の火災信号を受けたときには、第１の火災信号のそれまでの受信回数が所定数あったとき、あるいは、その後に、所定のキャンセル時間内に別の住戸から第１の火災信号を受信したときには、上記一時停止機能を自動的に解除する構成にしている、ことを特徴とする住棟受信機。
【請求項２】
管理人室などに設置される住棟受信機が、集合住宅の各住戸に設置された住戸受信機から第１、第２の火災信号を受信して警報制御を行う集合住宅火災警報システムであって、
上記住棟受信機は、住戸受信機への警報信号の出力を停止する一時停止機能を備えており、一時停止機能が有効に設定されているときに、第１の火災信号を受けると、その受信回数を計数しながら、第２の火災信号を受けたときには、第１の火災信号のそれまでの受信回数が所定数あったとき、あるいは、その後に、所定のキャンセル時間内に別の住戸から第１の火災信号を受信したときには、上記一時停止機能を自動的に解除する構成にしている、ことを特徴とする集合住宅火災警報システム。
【発明の詳細な説明】
【技術分野】
【０００１】
本発明は、住棟受信機及びこれを用いた集合住宅火災警報システムの改良に関する。
【背景技術】
【０００２】
従来より、特許文献１に示すような集合住宅火災警報システムが使用されている。
【０００３】
この種の集合住宅火災警報システムは、少なくとも、管理人室などに設置される住棟受信機と、各住戸に設置される住戸受信機とを接続して構成されており、各住戸に設置される住戸受信機には火災感知器が接続されて、住戸受信機から送出される第１、第２の火災信号に基づいて警報制御を行うようにしている。
【０００４】
各住戸の住戸受信機は、その住戸の火災感知器が発報したときには、第１の火災信号を住棟受信機に送出するとともに、住戸人に火災感知器の発報を確認させるため報知音を出力したり、音声メッセージを出力させるなどして、住戸人にその確認を促す。
【０００５】
住戸人は、これに従って火災感知器の発報を確認した結果、火災が発生していれば、火災確定スイッチを操作する。すると、第２の火災信号を住棟受信機に送出するとともに、住戸人に火災が発生し、避難を促すための表示や音声メッセージを出力するなどする。
【０００６】
また、住戸受信機は、火災感知器が発報してから所定時間内は、感知器復旧スイッチの操作を有効とし、所定時間内に感知器復旧スイッチの操作がされたときには、火災感知器の発報を停止させ、住棟受信機に復旧信号を送出する復旧処理をして、誤報をなくしている。更に、住戸受信機は、住棟受信機から警報信号を受信したときには火災警報を出力する。
【０００７】
一方の住棟受信機は、各住戸の住戸受信機をポーリング動作により順次、住戸受信機に断線などの異常がないかを確認しており、いずれかの住戸受信機から、アドレスを付加した割り込み信号を受けたときには、第１の火災信号か第２の火災信号かを判別する。
【０００８】
そして、第１の火災信号であるときには、アドレスを基にしてその住戸の火災感知器が発報したことを感知器発報表示部に表示し、そのための報知を行なう一方、第２の火災信号を受信したときには、アドレスを基にしてその住戸の火災が確定したことを火災確定表示部に表示し、そのことを知らせる鳴動音や音声メッセージを出力させるとともに、送信先の住戸と同一階、直上階の近隣住戸のアドレスを付加した警報信号を出力して、近隣住戸の住戸受信機より火災警報を出力させる。
【特許文献１】特許第３３１０９１７号公報
【発明の開示】
【発明が解決しようとする課題】
【０００９】
ところで、上記した従来の集合住宅火災警報システムでは、住戸の火災設備を施工、修理したり、点検している最中に、火災信号を受けることがあり、この場合の無用な警報を避けるために、住棟受信機側に、一時停止機能を設けているのが通例であるが、従来の一時停止機能では、上記のような第１の火災信号、第２の火災信号を受けるシステムについての対応が充分とは言い難く、改善が望まれている。
【００１０】
例えば、火災信号を区別することなく複数回受信したときに、一時停止を解除するものでは、システム施工時などには、第１の火災信号を複数受信することが多く発生すると考えられるので、一時停止機能の設定操作を繰り返し行う必要があり、施工の効率が悪化する。
【００１１】
また、第２の火災信号のみを複数受信した場合に一時停止機能を解除させるものでは、実火災時に警報を出力させることが遅くなってしまい、防災上好ましくない。
【００１２】
本発明は、このような事情を考慮して提案されたものであり、第１の火災信号、第２の火災信号を受けるシステムの施工時における警報一時停止機能を有効に発揮させつつ、防災上も好ましい住棟受信機、及び、これを使用した集合住宅火災警報システムを提供することを目的とする。
【課題を解決するための手段】
【００１３】
上記課題を解決するために、請求項１の住棟受信機では、集合住宅の各住戸に設置された住戸受信機から第１、第２の火災信号を受信して、警報制御を行う集合住宅火災警報システムに使用される住棟受信機であって、住棟受信機は、住戸受信機への警報信号の出力を停止する一時停止機能を備えており、一時停止機能が有効に設定されているときに、第１の火災信号を受けると、その受信回数を計数しながら、第２の火災信号を受けたときには、第１の火災信号のそれまでの受信回数が所定数あったとき、あるいは、その後に、所定のキャンセル時間内に別の住戸から第１の火災信号を受信したときには、一時停止機能を自動的に解除する構成にしている、ことを特徴とする。
【００１４】
ここに、一時停止機能とは、住戸受信機から火災信号を受信しても、火災信号を送信した住戸と同一階、直上階の近隣住戸に警報信号を出力しない機能をいう。
【００１５】
また、第１の火災信号とは、火災感知器が発報したことを知らせるものであり、第２の火災信号とは、実火災であることを知らせるものである。更に、所定のキャンセル時間とは、停止解除タイマーの計時をキャンセルさせるために操作可能な時間をいう。
【００１６】
この住棟受信機では、一時停止機能が有効に設定されているときには、各住戸に設置された住戸受信機から火災信号を受信すると、受信した火災信号が第１の火災信号か、第２の火災信号かを区別して、第１の火災信号のみを複数回受信しても、火災感知器が発報した住宅を表示しておいて受信回数を計数しておく。
【００１７】
一方、一時停止機能が有効に設定されているときに、各住戸に設置された住戸受信機から第２の火災信号を受信すると、既に第１の火災信号を所定数受信していれば、一時停止機能を自動的に解除する。
【００１８】
また、第２の火災信号を受信したときに、その後、所定のキャンセル時間内に別の住戸から第１の火災信号を受信したときにも、一時停止機能を自動的に解除する。
【００１９】
これにより、誤報の可能性のある第１の火災信号に対しては警報を出力しないが、第１の火災信号を所定数受信したとき、あるいは、第１の火災信号を受信した後、所定のキャンセル時間内に別の住戸から第１の火災信号を受信したときには、実火災のおそれがあるため、自動的に一時停止機能を解除することができる。
【００２０】
したがって、第１の火災信号、第２の火災信号を受けるシステムの施工時における一時停止機能を有効に発揮させつつ、防災上も好ましい住棟受信機を提供することができる。
【００２１】
また、請求項２では、請求項１に記載の住棟受信機を用いた集合住宅火災警報システムを提案している。これにより、請求項１の利点を有した集合住宅火災警報システムを提供することができる。
【発明の効果】
【００２２】
以上の説明からも理解できるように、請求項１によれば、誤報の可能性のある第１の火災信号に対しては警報を出力しないが、第１の火災信号を所定数受信したとき、あるいは、第１の火災信号を受信した後、所定のキャンセル時間内に別の住戸から第１の火災信号を受信したときには、実火災のおそれがあるため、自動的に一時停止機能を解除することができる。
【００２３】
したがって、第１の火災信号、第２の火災信号を受けるシステムの施工時における警報一時停止機能を有効に発揮させつつ、防災上も好ましい住棟受信機を提供することができる。
【００２４】
請求項２によれば、請求項１に記載の住棟受信機を用いているので、請求項１の効果を発揮する集合住宅火災警報システムを提供することができる。
【発明を実施するための最良の形態】
【００２５】
以下、添付図とともに、本発明の実施の形態について説明する。
【実施例１】
【００２６】
図３は、本発明の住棟受信機を用いて構成した集合住宅火災警報システムの概略構成を示すシステム図である。
【００２７】
管理人室などに設置された住棟受信機１は、各住戸に設置された住戸受信機２を、多重伝送線Ｌａと通話線Ｌｂとを介して接続している。
【００２８】
各住戸受信機２は、試験中継器付ドアホン子器３を中継器とし、１又は複数の火災感知器Ｓを接続しており、火災感知器Ｓの発報信号を検出する。
【００２９】
また、ドアホン子器３に戸外試験器４を接続したときには、住戸受信機２は、戸外試験器４の操作による擬似的な発報信号を検出し、戸外試験を可能とする。
【００３０】
このような構成において、各住戸受信機２と、住棟受信機１やこの住棟受信機１に接続されたロビーインターホン５との間では、通話線Ｌｂを通じてインターホン通話が行われる一方、多重伝送線Ｌａを通じ、インターホン通話のための制御信号の他、各住戸受信機２からの異常信号や火災信号（第１の火災信号、第２の火災信号）、試験火災信号が送出される。
【００３１】
図４（ａ）は本発明の住棟受信機の内部構成を示すブロック図、図４（ｂ）は住戸受信機の内部構成を示すブロック図である。
【００３２】
図４（ａ）で示す住棟受信機１は、停止解除タイマー１０ａを有し、ＣＰＵなどで構成され各部を制御する信号処理部１０と、多重伝送線Ｌａを介して各住戸受信機２あるいはロビーインターホン５との伝送制御を行うための多重伝送部１１と、各住戸受信機２あるいはロビーインターホン５との間で、ハンドセットＨ１による通話線Ｌｂを介した通話を制御するための通話部１２と、一時停止機能設定スイッチ１３ａ、キャンセルスイッチ１３ｂなど、各種スイッチ、ボタンなどで構成された操作部１３と、各住戸受信機２に対応した表示窓や、液晶画面、各種表示灯などで構成される表示部１４と、各住戸受信機２の状態などを記憶する記憶部１５と、火災信号を受信したことなどを印字出力する印字出力部１６と、スピーカＳＰ１からアラームや音声メッセージなどを出力するための音出力部１７とを備える。
【００３３】
このような住棟受信機１において、停止解除タイマー１０ａは、一時停止機能が有効に設定されている際に、住戸受信機２から第２の火災信号を受信してから、一時停止機能を自動的に解除するまでのキャンセル時間を計時するために設けられる。
また、一時停止機能設定スイッチ１３ａは、住戸受信機２から火災信号を受信しても、火災信号を送信した住戸と同一階、直上階の近隣住戸に警報信号を出力しない機能である一時停止機能の有効、無効の設定を行うために設けられている。
更に、キャンセルスイッチ１３ｂは、一時停止機能実行中に、住戸受信機２から第２の火災信号を受信したときに計時が開始される停止解除タイマー１０ａの計時をキャンセルするために操作される。
【００３４】
一方、図４（ｂ）で示す住戸受信機２は、タイマー２０ａを有し、ＣＰＵなどで構成され各部を制御する信号処理部２０と、多重伝送線Ｌａを介して住棟受信機１との伝送制御を行うための多重伝送部２１と、住棟受信機１との間で行う、ハンドセットＨ２による通話線Ｌｂを介した通話を制御するための通話部２２と、火災確定スイッチ２３ａと感知器復旧スイッチ２３ｂとを少なくとも有する操作部２３と、火災感知器Ｓが発報したことや火災が確定したことなどを表示する表示部２４と、自己アドレスなどを記憶した記憶部２５と、火災感知器Ｓの発報を検出する発報検出部２６と、スピーカＳＰ２から警報音を、アラームや音声メッセージなどで出力する音出力部２７とを備える。
【００３５】
このような住戸受信機２において、タイマー２０ａは火災感知器Ｓが発報して第１の火災信号を送出してから第２の火災信号を送出するまでの時間を計時するために設けられる。
【００３６】
また、火災確定スイッチ２３ａは、第１の火災信号を送出してからタイマー２０ａがタイムアップするまでの間に、住戸人が実火災であることを知らせるべく第２の火災信号を送出させるために設けられる。
【００３７】
更に、感知器復旧スイッチ２３ｂは、タイマー２０ａがタイムアップするまでの間に、火災感知器Ｓの発報の停止や、タイマー２０ａをリセットさせるために設けられる。
【００３８】
図１は、本発明の住棟受信機の基本動作を示すフローチャートである（１００〜１１１）。
【００３９】
住棟受信機１は、一時停止機能が無効に設定されている際には、第１の火災信号を受信したときには、アドレスを基にしてその住戸の住戸情報を表示して、その住戸で火災感知器が発報したことを報知する一方、第２の火災信号を受信したときには、アドレスを基にしてその住戸の住戸情報を表示して、その住戸で火災が確定したことを知らせる鳴動音や音声メッセージを出力させるとともに、送信先の住戸と同一階、直上階の近隣住戸のアドレスを付加した警報信号を出力して、火災警報を出力させるという基本動作をなす。
【００４０】
一方、一時停止機能が有効に設定されているときには、以下の基本動作をなす。
すなわち、住棟受信機１は、住戸受信機２から火災信号を受信したときには、第１の火災信号か、第２の火災信号かを判別する。
【００４１】
第１の火災信号であれば、付加されたアドレスに基づいて住戸番号を表示して感知器発報灯を点灯させ、第１の火災信号の受信回数を１カウントする。この処理を第１の火災信号を受信する毎に繰り返す。
【００４２】
一方、第２の火災信号であれば、アドレスに基づいて住戸番号を表示して火災灯を点灯させ、この時点で第１の火災信号を所定数受信していれば、一時停止機能を解除して第１の火災信号受信数を０にリセットして、実火災であることを知らせる鳴動音や音声メッセージを出力させるとともに、第２の火災信号を送出した住戸の同一階、直上階の近隣住戸に警報信号を出力して、近隣住戸からも火災警報を出力させる。
【００４３】
一方、第２の火災信号を受信した時点で、第１の火災信号を所定数受信していないときには、停止解除タイマー１０ａをスタートさせる。
【００４４】
キャンセル時間内に、異なる住戸から第１の火災信号を受信したときには、一時停止機能を解除して第１の火災信号受信数を０にリセットして、実火災であることを知らせる鳴動音や音声メッセージを出力させるとともに、第２の火災信号を送出した住戸の同一階、直上階の近隣住戸を付加した警報信号を出力して、近隣住戸からも火災警報を出力させる。
【００４５】
キャンセル時間内に、キャンセルスイッチ１３ｂが操作がされたときには、停止解除タイマー１０ａの計時をキャンセルして、火災灯の点灯、住戸番号の表示を停止し、第１の火災信号受信数を０にリセットする。一方、キャンセル時間内にキャンセルスイッチ１３ｂが操作がされなかったときには、一時停止機能を解除して第１の火災信号受信数を０にリセットして、実火災であることを知らせる鳴動音や音声メッセージを出力させるとともに、第２の火災信号を送出した住戸の同一階、直上階の近隣住戸のアドレスを付加した警報信号を出力して、近隣住戸からも火災警報を出力させる。
【００４６】
図２は、住戸受信機２の基本動作を示すフローチャートである（２００〜２０８）。
【００４７】
各住戸の住戸受信機２は、火災感知器Ｓが発報すると、第１の火災信号を送出してタイマー２０ａを起動させる。
【００４８】
タイマー２０ａがタイムアップするまでの間に、感知器復旧スイッチ２３ｂが操作されたときには、火災感知器Ｓの発報を停止させ、住棟受信機１に復旧信号を送出する復旧処理を行い、タイマー２０ａをリセットさせる。
【００４９】
一方、タイマー２０ａがタイムアップするまでの間に、感知器復旧スイッチ２３ｂが操作されなかったときには、住棟受信機１に第２の火災信号を送出し、タイマー２０ａをリセットさせる。
【００５０】
また、タイマー２０ａがタイムアップしたときも、住棟受信機１に第２の火災信号を送出し、タイマー２０ａをリセットさせる。
【図面の簡単な説明】
【００５１】
【図１】本発明の住棟受信機の基本動作を示すフローチャート
【図２】住戸受信機の基本動作を示すフローチャート
【図３】本発明の住棟受信機を用いて構成した集合住宅火災警報システムの概略構成を示すシステム図
【図４】（ａ）は本発明の住棟受信機の内部構成を示すブロック図、（ｂ）は住戸受信機の内部構成を示すブロック図
【符号の説明】
【００５２】
１  住棟受信機
２  住戸受信機
１０  信号処理部
１０ａ  停止解除タイマー
１３ａ  一時停止機能設定スイッチ
１３ｂ  キャンセルスイッチ
【図１】
2007286755.tif 000003
【図２】
2007286755.tif 000004
【図３】
2007286755.tif 000005
【図４】
2007286755.tif 000006
【手続補正書】
【提出日】平成19年7月2日(2007.7.2)
【手続補正１】
【補正対象書類名】特許請求の範囲
【補正対象項目名】全文
【補正方法】変更
【補正の内容】
【特許請求の範囲】
【請求項１】
集合住宅の各住戸に設置された住戸受信機から、各住戸の火災感知器が発報したことを報知するための第１の火災信号と、各住戸が実火災であることを知らせるための第２の火災信号とを受信して、警報制御を行う集合住宅火災警報システムに使用される住棟受信機であって、
前記住戸受信機への警報信号の出力を停止する一時停止機能と、
前記一時停止機能が有効に設定されているときには、前記第１の火災信号を受信する毎に受信回数をカウントする機能とを備えており、
前記一時停止機能が有効に設定されている際に、前記第２の火災信号を受信したときには、すでに、第１の火災信号を所定回数受信していれば、前記一時停止機能を自動的に解除する、
あるいは、
前記一時停止機能が有効に設定されている際に、前記第２の火災信号を受信し、その後、前記第２の火災信号を出力した住戸受信機とは異なる住戸受信機から前記第１の火災信号を受信したときには、すでに、前記第１の火災信号を所定回数受信していなくても、前記一時停止機能を自動的に解除する機能を備えていることを特徴とする住棟受信機。
【請求項２】
管理人室などに設置される住棟受信機が、集合住宅の各住戸に設置された住戸受信機から、各住戸の火災感知器が発報したことを報知するための第１の火災信号と、各住戸が実火災であることを知らせるための第２の火災信号とを受信して、警報制御を行う集合住宅火災警報システムであって、
前記住棟受信機は、
前記住戸受信機への警報信号の出力を停止する一時停止機能と、
前記一時停止機能が有効に設定されているときには、前記第１の火災信号を受信する毎に受信回数をカウントする機能とを備えており、
前記一時停止機能が有効に設定されている際に、前記第２の火災信号を受信したときには、すでに、第１の火災信号を所定回数受信していれば、前記一時停止機能を自動的に解除する、
あるいは、
前記一時停止機能が有効に設定されている際に、前記第２の火災信号を受信し、その後、前記第２の火災信号を出力した住戸受信機とは異なる住戸受信機から前記第１の火災信号を受信したときには、すでに、前記第１の火災信号を所定回数受信していなくても、前記一時停止機能を自動的に解除する機能を備えていることを特徴とする集合住宅火災警報システム。
【手続補正２】
【補正対象書類名】明細書
【補正対象項目名】００１３
【補正方法】変更
【補正の内容】
【００１３】
上記課題を解決するために、請求項１の住棟受信機では、集合住宅の各住戸に設置された住戸受信機から、各住戸の火災感知器が発報したことを報知するための第１の火災信号と、各住戸が実火災であることを知らせるための第２の火災信号とを受信して、警報制御を行う集合住宅火災警報システムに使用される住棟受信機であって、前記住戸受信機への警報信号の出力を停止する一時停止機能と、前記一時停止機能が有効に設定されているときには、前記第１の火災信号を受信する毎に受信回数をカウントする機能とを備えており、前記一時停止機能が有効に設定されている際に、前記第２の火災信号を受信したときには、すでに、第１の火災信号を所定回数受信していれば、前記一時停止機能を自動的に解除する、
あるいは、
前記一時停止機能が有効に設定されている際に、前記第２の火災信号を受信し、その後、前記第２の火災信号を出力した住戸受信機とは異なる住戸受信機から前記第１の火災信号を受信したときには、すでに、前記第１の火災信号を所定回数受信していなくても、前記一時停止機能を自動的に解除する機能を備えていることを特徴とする。
【手続補正３】
【補正対象書類名】明細書
【補正対象項目名】００１５
【補正方法】変更
【補正の内容】
【００１５】
また、第１の火災信号とは、火災感知器が発報したことを知らせるものであり、第２の火災信号とは、実火災であることを知らせるものである。
【手続補正４】
【補正対象書類名】明細書
【補正対象項目名】００１８
【補正方法】変更
【補正の内容】
【００１８】
また、第２の火災信号を受信した後、別の住戸から第１の火災信号を受信したときには、既に、第１の火災信号を所定数受信していなくても、一時停止機能を自動的に解除する。
【手続補正５】
【補正対象書類名】明細書
【補正対象項目名】００１９
【補正方法】変更
【補正の内容】
【００１９】
これにより、誤報の可能性のある第１の火災信号に対しては警報を出力しないが、第２の火災信号を受信した時点で既に第１の火災信号を所定数受信していたとき、あるいは、第２の火災信号を受信した後に、第２の火災信号を出力した住戸とは別の住戸から第１の火災信号を受信したときには、実火災のおそれがあるため、自動的に一時停止機能を解除できる。
【手続補正６】
【補正対象書類名】明細書
【補正対象項目名】００２２
【補正方法】変更
【補正の内容】
【００２２】
以上の説明からも理解できるように、請求項１によれば、誤報の可能性のある第１の火災信号に対しては警報を出力しないが、第２の火災信号を受信した時点で既に第１の火災信号を所定数受信していたとき、あるいは、第２の火災信号を受信した後に、第２の火災信号を出力した住戸とは別の住戸から第１の火災信号を受信したときには、実火災のおそれがあるため、自動的に一時停止機能を解除できる。